(57)【要約】【課題】刈取機へ動力を入力して、回転駆動する刈取入力プーリを軸支する上支持ケースに設けたワンウエイクラッチの装着位置を変更して、点検、修理、及び交換等を容易にしようとするものである。【解決手段】穀稈を刈取る刈取機３を、作業状態と、非作業状態の側方外側へ回動自在に支持する回動支持装置５は、ミッションケース１０の上側へ設け、本機側１ａの出力プーリ１ｂから刈取機３へ動力を入力する刈取入力プーリ６には、刈取機３を非作業状態へ回動操作したときに、目視可能位置へワンウエイクラッチ７を設けた構成である。又、刈取入力プーリ６と、出力プーリ１ｂとに掛け渡した伝動ベルト６ａを「入」・「切」するベルトテンションクラッチ装置のテンションアームは、刈取機３を非作業状態へ回動操作する回動軌跡外へ位置させて設けた構成である。【選択図】図１
2004073005.tif 000002
【特許請求の範囲】
【請求項１】
走行車台２の前方部には、立毛穀稈を刈取り移送する刈取機３を刈取り作業状態と、非作業状態の側方外側へ回動自在に支持する回動支持装置５と、該回動支持装置５を受ける走行用のミッションケース１０と、本機側１ａの出力プーリ１ｂから動力を刈取機３へ入力する刈取入力プーリ６等とを設けたコンバインにおいて、前記刈取機３を非作業状態へ回動操作したときには、刈取入力プーリ６の目視可能位置へワンウエイクラッチ７を設けたことを特徴とするコンバインの刈取機回動装置。
【請求項２】
前記刈取入力プーリ６と、出力プーリ１ｂとに掛け渡した伝動ベルト６ａを「入」・「切」するベルトテンションクラッチ装置１９を設け、該ベルトテンションクラッチ装置１９のテンションアーム１９ａは、刈取機３を非作業状態の回動軌跡外へ位置させて設けたことを特徴とする請求項１に記載のコンバインの刈取機回動装置。
【発明の詳細な説明】
【０００１】
【発明の属する技術分野】
この発明は、穀稈を刈取り移送する刈取機は、作業状態と、非作業状態の側方外側へ回動自在に支持する回動支持装置と、該回動支持装置を受けるミッションケースとを設け、本機側の出力プーリから刈取機へ動力を入力する刈取入力プーリには、刈取機を非作業状態へ回動操作したときは、目視可能位置へワンウエイクラッチを設けた技術であり、コンバインの刈取機回動装置として利用できる。
【０００２】
【従来の技術】
コンバインで立毛穀稈の刈取り収穫作業は、走行車台の前方部に設けた刈取機で穀稈は刈取りされ、この刈取り穀稈は、この刈取機で後方上部へ移送されて、脱穀機へ供給され、この脱穀機内を挟持移送中に脱穀され、脱穀済み穀粒は、この脱穀機の横側へ設けた穀粒貯留タンク内へ供給され、一時貯留される。
【０００３】
この刈取り収穫作業のときに、本機側の出力プーリから動力を、刈取機の入力プーリへ入力されて、刈取機が回転駆動されるが、この入力プーリを軸支する上支持ケースには、ワンウエイクラッチが内装され、このワンウエイクラッチに不具合が発生して、点検、及び修理等を行うときには、刈取機全体を本機側から取り外し、上支持ケースを分解して、このワンウエイクラッチを取り外して、点検、及び修理等を行う。これらが終了すると、元の状態に復元して、刈取り収穫作業を再開始する。
【０００４】
【発明が解決しようとする課題】
刈取機へ動力を入力して、回転駆動する刈取プーリを軸支する上支持ケースにワンウエイクラッチを内装して設けていることにより、このワンウエイクラッチに不具合が発生すると、点検、及び修理に長時間を要すると共に、元の状態へ復元にも長時間を要していたが、この発明により、これらの問題点を解決しようとするものである。
【０００５】
【課題を解決するための手段】
このために、この発明は、請求項１に記載の発明においては、走行車台２の前方部には、立毛穀稈を刈取り移送する刈取機３を刈取り作業状態と、非作業状態の側方外側へ回動自在に支持する回動支持装置５と、該回動支持装置５を受ける走行用のミッションケース１０と、本機側１ａの出力プーリ１ｂから動力を刈取機３へ入力する刈取入力プーリ６等とを設けたコンバインにおいて、前記刈取機３を非作業状態へ回動操作したときには、刈取入力プーリ６の目視可能位置へワンウエイクラッチ７を設けたことを特徴とするコンバインの刈取機回動装置としたものである。
【０００６】
コンバインで立毛穀稈の刈取り収穫作業は、走行車台２の前部に設けた刈取機３で穀稈は刈取りされ、この刈取り穀稈は、この刈取機３で後方上部へ移送されて、脱穀機へ供給され、この脱穀機内を挟持移送中に脱穀され、脱穀済み穀粒は、この脱穀機の横側へ設けた穀粒貯留タンク内へ供給され、一時貯留される。
【０００７】
この収穫作業のときには、本機側１ａの出力プーリ１ｂから動力は、刈取機３の刈取入力プーリ６へ伝動ベルト６ａを介して、入力されて、刈取機３が回転駆動されるが、この刈取入力プーリ６の目視可能位置へ設けたワンエウイクラッチ７に不具合が発生すると、この刈取機３を非作業状態の側方外側へ回動自在に支持した回動支持装置５は、走行用のミッションケース１０で受けて、複数本のボルト等により、このミッションケース１０へ装着している。このボルト等を取り外して、回動支持装置５で刈取機３を側方外側へ回動操作して非作業状態にすると、刈取入力プーリ６へ設けたワンエウイクラッチ７は、目視できる位置となり、このワンエウイクラッチ７を点検、修理、及び交換等を行う。これらが終了すると、元の状態に復元して、刈取り作業を再開始する。
【０００８】
請求項２に記載の発明においては、前記刈取入力プーリ６と、出力プーリ１ｂとに掛け渡した伝動ベルト６ａを「入」・「切」するベルトテンションクラッチ装置１９を設け、該ベルトテンションクラッチ装置１９のテンションアーム１９ａは、刈取機３を非作業状態の回動軌跡外へ位置させて設けたことを特徴とする請求項１に記載のコンバインの刈取機回動装置としたものである。
【０００９】
前記本機側１ａの出力プーリ１ｂと、刈取機３の刈取入力プーリ６とに、掛け渡した伝動ベルト６ａにより、本機側１ａの動力は、刈取機３へ入力されて、この刈取機３の各部が回転駆動される。又、伝動ベルト６ａを「入」・「切」するベルトテンションクラッチ装置１９を設け、このベルトテンションクラッチ装置１９のテンションアーム１９ａは、刈取機３を非作業状態の側方外側へ回動操作する回動軌跡外へ位置させて設け、この刈取機３を側方外側へ回動操作のときに、テンションアーム１９ａには、刈取機３を回動操作する回動支持装置５が当接することなく回動操作を行うことができ、刈取機３は、非作業状態位置へ回動する。
【００１０】
【発明の効果】
請求項１に記載の発明においては、本機側１ａの動力を出力プーリ１ｂから刈取機３の刈取入力プーリ６へ入力されて、この刈取機３は、回動駆動するが、この刈取入力プーリ６には、刈取機３を非作業状態へ回動支持装置５で回動操作したときに、目視可能位置へワンウエイクラッチ７を設けたことにより、このワンウエイクラッチ７の点検、修理、及び交換等を容易に行うことができる。又、短時間でこれの作業を行うことができる。
【００１１】
請求項２に記載の発明においては、前記本機側１ａの出力プーリ１ｂと、刈取機３側の刈取入力プーリ６とに、伝動ベルト６ａを掛け渡し、この伝動ベルト６ａを「入」・「切」するベルトテンションクラッチ装置１９のテンションアーム１９ａは、刈取機３を非作業状態の回動軌跡外へ位置させて設け、刈取機３を非作業状態の側方外側へ回動支持装置５で回動操作しても、テンションアーム１９ａへ刈取入力プーリ６が当接することがなく、このために、刈取機３を側方外側の非作業状態への回動移動を容易に行うことができる。又、短時間で回動操作ができる。
【００１２】
【発明の実施の形態】
以下、本発明の一実施例を図面に基づいて説明する。
コンバイン１の走行車台２の前方部には、立毛穀稈を刈取り移送する刈取機３を設け、この刈取機３を側方外側へ回動自在に回動支持装置５で支持すると共に、この回動支持装置５を受ける走行用のミッションケース１０を走行車台２の前端部へ装着して設けた構成である。コンバイン１の本機側１ａに設けた出力プーリ１ｂから回転動力は、刈取機３の刈取入力プーリ６へ伝動ベルト６ａを介して入力され、刈取機３は回転駆動される構成である。この刈取機３は、回動支持装置５の操作により、作業状態と非作業状態とへ回動移動操作できる構成である。又、刈取入力プーリ６の目視可能位置には、ワンエウイクラッチ７を設けた構成であり、刈取機３を回動操作する刈取機回動装置４、及びワンエウイクラッチ７の装着部等を主に図示して説明する。
【００１３】
前記コンバイン１の走行車台２の下側には、図５、及び図１０〜図１２で示す如く走行用のミッションケース１０に内装した伝動機構１０ａにより、回転駆動して、土壌面を走行する左右一対の走行クローラ１１ａを張設した走行装置１１を配設し、走行車台２の上側には、脱穀機１２を載置した構成である。走行車台２の前側の刈取機３で立毛穀稈を刈取りし、この刈取り穀稈は、この刈取機３で後方上部へ移送され、脱穀機１２のフィードチェン１３ａと、挟持杆１３ｂとで引継ぎされて、挟持移送されながら脱穀される。脱穀済みで選別済み穀粒は、脱穀機１２の右横側に配設した穀粒貯留タンク１４内へ一時貯留される。
【００１４】
前記走行車台２の前側には、図１〜図１２で示す如く前端位置から立毛穀稈を分離するナローガイド１５ａ、及び各分草体１５ｂと、立毛穀稈を引起す引起装置１５ｃと、引起された穀稈を掻込みする穀稈掻込移送装置１６の掻込装置１６ａと、掻込された穀稈を刈取る刈刃装置１５ｄと、刈取りされた穀稈を挟持移送して、脱穀機１２のフィードチェン１３ａと、挟持杆１３ｂとへ受渡しする穀稈掻込移送装置１６の根元・穂先移送装置１７ａ，１７ｂ等からなる刈取機３を設けている。該刈取機３は、油圧駆動による伸縮シリンダ１８により、土壌面に対して、昇降自在に移動する構成である。
【００１５】
前記刈取機３の前方下部から後方上部へ傾斜する伝動機構８ｂを内装した傾斜支持杆８ａの上端部には、左右方向に伝動機構９ｂを内装した上支持ケース９ａを設け、この上支持ケース９ａを走行車台２の上側面に設けた支持装置９ｃで回動自在に支持させて、伸縮シリンダ１８の作動により、刈取機３は、上支持ケース９ａを回動中心として、上下に回動する構成である。この上支持ケース９ａの右外端部で伝動機構９ｂの外側には、刈取入力プーリ６を軸支して設け、本機側１ａに設けた出力プーリ１ｂと、この刈取入力プーリ６とには、伝動ベルト６ａを掛け渡して、本機側１ａの回転動力をミッションケース１０の伝動機構１０ａを介して、刈取機３の各部を回転駆動する構成である。
【００１６】
前記刈取機３は、図１〜図１２で示す如く回動支持装置５の回動操作により、一方側の左外側へ回動移動自在な構成である。この回動操作のときには、前段でフィードチェン１３ａと、挟持杆１３ｂとを左外側へ回動移動操作後に行う構成である。
【００１７】
前記刈取機３の上支持ケース９ａの内側端部面の内側で伝動機構９ａへ軸支して設けた刈取入力プーリ６には、図１、及び図５で示す如く刈取機３を左側方の外側の非作業状態へ回動移動操作したときには、目視可能位置になる刈取入力プーリ６の内側面には、ワンエウイクラッチ７を装着して設けた構成である。
【００１８】
前記ワンエウイクラッチ７は、刈取機３を左側方の外側の非作業状態へ回動移動操作したときには、目視可能位置であるこの刈取機３の刈取入力プーリ６の内側面へ設けたことにより、このワンエウイクラッチ７に不具合が発生して、点検、修理、及び交換等を行なうときには、容易に行うことができる。又、これらの作業を短時間で行うことができる。
【００１９】
前記刈取機３の上支持ケース９ａに設けた刈取入力プーリ６と、本機側１ａのミッションケース１０の伝動機構１０ａに設けた出力プーリ１ｂとには、図１で示す如く伝動ベルト６ａを掛け渡した構成である。この伝動ベルト６ａは、ベルトテンションクラッチ装置１９の操作により、「入」・「切」する構成である。
【００２０】
前記ベルトテンションクラッチ装置１９は、図６、及び図７で示す如く後述する操縦席２０の左側に設けたフレーム２１には、取付プレート２１ａを装着して設け、この取付プレート２１ａには、ベルトテンションクラッチ装置１９の側面視略Ｕ字形状のテンションアーム１９ａの一方側の端部を支持ピン１９ｂで回動自在に軸支して設けると共に、他方側の端部には、テンションプーリ２２ａをプーリピン２２ｂで回転自在に軸支して設けた構成である。テンションアーム１９ａのＵ字形状部は、刈取入力プーリ６の後側に位置させて設けると共に、刈取機３を左側方の外側の非作業状態へ回動操作して、非作業状態位置へ操作途中のときには、この刈取機３の回動軌跡外へテンションアーム１９ａのＵ字形状部が位置すべく、このＵ字形状部を形成した構成である。刈取機３の上支持ケース９ａ、及び刈取入力プーリ６等は、左側方の外側の非作業状態へ回動移動のときに、テンションアーム１９ａへ当接しない構成である。
【００２１】
前記フレーム２１の上側面には、後取付フレーム２１ｂを設け、この後取付プレート２１ｂには、テンションレバー２３を装着したレバー取付板２３ａをレバーピン２３ｂで回動自在に軸支した構成である。レバー取付板２３ａと、テンションアーム１９ａとの間には、連接杆２４ａと、連結板２４ｂと、スプリング２４ｃとを設けて、接続した構成である。又、後取付プレート２１ｂには、補助レバー２５を装着した補助レバー取付板２５ａをレバーピン２３ｂで回動自在な軸支した構成である。
【００２２】
前記テンションレバー２３と、補助レバー２５とを回動操作することにより、テンションアーム１９ａを介して、テンションプーリ２２ａが回動操作され、伝動ベルト６ａは、「入」・「切」される構成であり、刈取機３は回転駆動、及び停止される構成である。
【００２３】
前記刈取入力プーリ６と、出力プーリ１ｂとに、掛け渡した伝動ベルト６ａを「入」・「切」するベルトテンションクラッチ装置１９のテンションアーム１９ａは、刈取機３を非作業状態へ回動操作する回動軌跡外へ位置させて設けたことにより、回動操作のときに、このテンションアーム１９ａへ刈取機３の上支持ケース９ａ、及び刈取入力プーリ６が当接することがなくなり、このために、刈取機３を左側方の外側の非作業状態へ回動移動操作を容易に行うことができる。又、短時間で回動移動操作ができる。
【００２４】
前記刈取機３の刈取機回動装置４の移動機構である回動支持装置５は、図１〜図５で示す如く走行車台２の前枠２ａの後側面には、受主柱２６を固着して設け、この受主柱２６の上端部と、下端部とには、上・下受板２６ａ，２６ｂを固着して設けた構成である。
【００２５】
前記受主柱２６の前側には、図１〜図５で示す如く上部に取付板２７ａと、Ｌ字形状の回動杆２７ｂとを固着して設けた回動主柱２７は、取付板２７ａと、受主柱２６の下受板２６ｂとへ挿入すると共に、走行車台２の前枠２ａの上側面へ回動自在に設けた構成である。取付板２７ａは、ボルト、及びナット等により、受主柱２６の上受板２６ａへ装着した構成である。
【００２６】
前記回動支柱２７の回動杆２７ｂの先端近傍部には、図１〜図５で示す如くコ字形状の左受具２８を挿入して、固着して設けると共に、先端部には、コ字形状の右受具２９を挿入して、固着して設けた構成である。この右受具２９のコ字部の内側の前後両側には、取付用ボス２９ａを固着して設けた構成である。刈取機３の傾斜支持杆８ａと、上支持ケース９ａとに固着して設けた取付板９ｄの左側部の下側には、回動杆２７ｂに設けた左受具２８の前後両側に設けた取付孔２８ａ部をボルト、及びナット等により、装着した構成である。又、右受具２９の各取付用ボス２９ａの各取付孔２９ｂ部へ各ボルトを挿入し、ミッションケース１０の上側に設けた補強板３０を介して、このミッションケース１０へ螺挿入して、装着した構成である。
【００２７】
前記刈取機３を左側方の外側の非作業状態へ回動移動操作するときは、脱穀機１２のフィードチェン１３ａ等を回動装置１３ｃを介して左側方の外側へ回動操作が終了後に、右受板２９を装着しているボルトを取り外して、回動操作すると、回動主柱２７を回動中心として、回動杆２７ｂに設けた左・右受具２８，２９は、ミッションケース１０の上側の補強板３０の上側面を摺動移動し、左受具２８を装着した取付板９ｄを介して、傾斜支持杆８ａ、及び上支持ケース９ａ等が回動移動されて、刈取機３全体が左側方の外側の非作業状態へ回動移動する構成である。
【００２８】
前記伸縮シリンダ１８は、図１〜図４で示す如く傾斜支持杆８ａの上部へ固着して設けた前取付軸８ｃと、回動支柱２７の下方部へ固着して設けた取付具２７ｃとの間に設けて接続した構成である。１８ａは、伸縮バルブであり、又１８ｂは、接続用の油圧パイプ１８ｂである。
【００２９】
前記ミッションケース１０の上側には、図８で示す如くＬ字形状の補強板３０の一方側の側壁部をボルト等により、ミッションケース１０の側面部へ着脱自在に装着した構成である。又、上側面には、ボルトを螺挿入する挿入孔３０ａを設けた構成である。
【００３０】
これにより、前記ミッションケース１０は、通常はミルミ材料で製作されていることが多く、このために、このミッションケース１０の上側面を、回動支持装置５の左・右受具２８，２９が摺動移動することにより、ミッションケース１０の上側面の摩耗が早くなることがあり、このために、刈取機３が正規位置へ装着されないことが発生していたが、鉄材の補強板３０を設けたことにより、これを防止することができる。又、補強板３０が最悪摩耗したときには、小部品であるこの補強板３０の交換で済み、ミッションケース１０を交換しなくてよくなり、コスト低減になる。
【００３１】
前記刈取機３の穀稈掻込移送装置１６によって形成される穀稈移送経路中には、刈取られて移送される穀稈に接触作用することにより、脱穀機１２へ穀稈の供給の有無を検出する穀稈センサ３ａを設けた構成である。
前記脱穀機１２側の前部には、図１０〜図１２で示す如くコンバイン１を始動、停止、及び各部を調節等の操作を行う操作装置２０ａと、これら操作を行う作業者が搭乗する操縦席２０とを設け、この操縦席２０の下側で、走行車台２の上側面には、エンジン３１を載置すると共に、後方部には、穀粒貯留タンク１４を配設する。これら走行装置１１と、刈取機３と、脱穀機１２と、エンジン３１等により、コンバイン１の機体１ｃを形成した構成である。
【００３２】
前記走行車台２の前端部に装架した走行用の走行ミッションケース１０内の伝動機構１０ａの伝動経路中には、その出力に基づいて、走行車速を検出するポテンションメータ方式の車速センサ１０ｂを設けた構成である。
前記ミッションケース１０上部には、図９で示す如く油圧式無段変速装置３２を設けると共に、この油圧式無段変速装置３２で変速した回転動力は、迂回伝動ケース３３へ内装した伝動機構３３ａを経てミッションケース１０内の伝動機構１０ａを伝動する構成である。迂回伝動ケース３３は、図９で示す如くミッションケース１０の左側上部で、左外側へ大きく突出させると共に、この迂回伝動ケース３３の左側端部は、左側の走行クローラ１１ａの上部に位置すべくオーバハングさせて設けた構成である。
【００３３】
前記ミッションケース１０の下部左右両側には、走行車軸１０ｃを軸支して設け、この各走行車軸１０ｃの外端部には、走行スプロケット１０ｄを軸支して設け、この各走行スプロケット１０ｄで各走行クローラ１１ａを回転駆動する構成である。
【００３４】
前記ミッションケース１０の左外側面には、突出した（オーバハングした）迂回伝動ケース３３を設けたことにより、ミッションケース１０に対して、左側の走行クローラ１１ａを右方向へ近接させて配設できる。又、左右の走行クローラ１１ａの分担荷重を空車時は、右側の分担荷重をより軽くすることができ、このために、穀粒貯留タンク１４内へ穀粒の貯留量が順次増加しても、コンバイン１の左右バランスを安定させることができる。
【００３５】
前記穀粒貯留タンク１４内に貯留した穀粒を機外へ排出するこの穀粒貯留タンク１４の後側には、縦移送螺旋３４ａを内装した排出支持筒３４を略垂直姿勢で旋回自在に装着して設け、この排出支持筒３４の上端部には、その全長がコンバイン１の前後長に亘る機外へ穀粒を排出する排出螺旋３５ａを伸縮自在に内装した排出オーガ３５を伸縮自在、上下回動自在、及び左右旋回自在に前後方向に配設した構成である。
【００３６】
前記走行車台２を水平に制御する車体水平油圧回路３６と、刈取機３を上下に制御する刈取上下油圧回路３７と、刈取り方向を制御する刈取方向油圧回路３８と、油圧式無段変速装置３２を制御する油圧制御回路３９等とを有する構成においては、図１３、及び図１４で示す如くこれらを直列に配設した構成である。分流弁４０により、走行車台２を水平に制御する水平シリンダ４１、又は刈取機３を上下制御する上下シリンダ４２等へ切換制御する構成である。
【００３７】
油タンク４３内の油圧用油は、水平シリンダ４１を制御するときは、フィルタ４４ａを経てポンプ４４ｂで吸収されて、車体水平油圧回路３６の分流弁４０で切換制御されて、この分流弁４０から電磁切換バルブ４５を経て水平シリンダ４１へ送油され、この水平シリンダ４１が始動制御される構成である。
【００３８】
前記上下シリンダ４２を制御するときは、油圧用油は、フィルタ４４ａを経てポンプ４４ｂで吸引されて、車体水平油圧回路３６の分流弁４０で切換制御されて、この分流弁４０から刈取上下油圧回路３７の電磁切換バルブ４６を経て上下シリンダ４２へ送油され、この上下シリンダ４２が始動制御される構成である。
【００３９】
方向制御手段４７を制御するときは、油圧用油は、刈取上下油圧回路３７の電磁切換バルブ３６から、刈取方向油圧回路３８の電磁切換バルブ４８を経て方向制御手段４７へ送油され、この方向制御手段４７が始動制御される構成である。前記油圧制御回路３９の可変ポンプ４９と、モータ５０の制御は、刈取上下油圧回路３７８の電磁切換バルブ４６と、方向制御手段４７とから送油され、可変ポンプ４９と、モータ５２とは、始動制御される構成である。
【００４０】
前記上下シリンダ４２と、方向制御手段４７とは、同時に始動制御されない構成である。又、分流する流量は、走行車台２の水平制御より、刈取機３の上下制御、走行装置１１の方向制御、及び油圧式無段変速装置３２の制御の方を大流量した構成である。
【００４１】
これにより、各回路３６，３７，３８，３９の回路切換は、分流弁４０を介在させるか、させないかにより、仕様を変更することができる。又、油圧制御回路３９のチャージ量は、大流量を必要とするが、これを可能にすることができる。
【図面の簡単な説明】
【図１】刈取機の刈取機回動装置部の作業時の拡大平面図
【図２】刈取機の刈取機回動装置部の非作業時の拡大平面図
【図３】刈取機の刈取機回動装置部の拡大正面図
【図４】コンバインの一部破断した拡大側面図
【図５】刈取機回動装置部の拡大側面斜視図
【図６】ベルトテンションクラッチ装置部の拡大側面図
【図７】ベルトテンションクラッチ装置部の拡大正面図
【図８】ミッションケース部の拡大側面斜視図
【図９】ミッションケース部の迂回伝動ケース部の拡大正面図
【図１０】コンバインの全体側面図
【図１１】コンバインの作業時の正面斜視図
【図１２】コンバインの非作業時の正面斜視図
【図１３】油圧回路図
【図１４】油圧回路図
【符号の説明】
１ａ　　本機側
１ｂ　　出力プーリ
２　　　走行車台
３　　　刈取機
５　　　回動支持装置
６　　　刈取入力プーリ
６ａ　　伝動ベルト
７　　　ワンウエイクラッチ
１０　　ミッションケース
１９　　ベルトテンションクラッチ装置
１９ａ　テンションアーム
【図１】
2004073005.tif 000003
【図２】
2004073005.tif 000004
【図３】
2004073005.tif 000005
【図４】
2004073005.tif 000006
【図５】
2004073005.tif 000007
【図６】
2004073005.tif 000008
【図７】
2004073005.tif 000009
【図８】
2004073005.tif 000010
【図９】
2004073005.tif 000011
【図１０】
2004073005.tif 000012
【図１１】
2004073005.tif 000013
【図１２】
2004073005.tif 000014
【図１３】
2004073005.tif 000015
【図１４】
2004073005.tif 000016